(57)【特許請求の範囲】
【請求項１】
複数の無線通信端末と、前記複数の無線通信端末と通信する中継器とを接続する分配合成回路から構成される無線伝搬路模擬回路であって、
前記複数の無線通信端末のそれぞれに接続し、前記無線通信端末が送信する搬送波の１／４波長の線路長さを有するインピーダンス変換器と、
前記インピーダンス変換器の無線通信端末側端子の間を接続する吸収抵抗と、を備え、
前記吸収抵抗のうち少なくとも一つは、前記無線通信端末同士のアイソレーションをとるために前記無線通信端末の負荷抵抗から算出される抵抗値とは異なる抵抗値を有する、
ことを特徴とする無線伝搬路模擬回路。
【請求項２】
分配合成回路の分配側端子に、さらに分配合成回路を接続した多段分配合成回路から構成され、複数の無線通信端末と、前記複数の無線通信端末と通信する中継器とを接続する無線伝搬路模擬回路であって、
前記分配側端子にさらに分配合成回路が接続される上段の分配合成回路は、
前記分配側端子に接続する分配合成回路に接続し、前記無線通信端末が送信する搬送波の１／４波長の線路長さを有するインピーダンス変換器と、
前記インピーダンス変換器の前記分配側端子の間を接続する上段の吸収抵抗と、を備え、
前記上段の分配合成回路の分配側端子に接続される下段の分配合成回路は、
前記複数の無線通信端末のそれぞれに接続し、前記無線通信端末が送信する搬送波の１／４波長の線路長さを有するインピーダンス変換器と、
前記インピーダンス変換器の無線通信端末側端子の間を接続する下段の吸収抵抗と、を備え、
前記上段の吸収抵抗は、前記下段の分配合成回路同士のアイソレーションをとるために必要な抵抗値を有し、
前記下段の吸収抵抗のうち少なくとも一つは、前記下段の分配合成回路に接続される無線通信端末同士のアイソレーションをとるために前記無線通信端末の負荷抵抗から算出される抵抗値とは異なる抵抗値を有する、
ことを特徴とする無線伝搬路模擬回路。
【発明の詳細な説明】
【技術分野】
【０００１】
本発明は、無線通信機器が通信する無線伝搬路を模擬する導体で構成した回路に関する。
【背景技術】
【０００２】
無線通信機器の開発において、実際に電波を放射して動作を確認する必要がある。無線通信機の実用化には、実際に使用される環境で実験を行ってみないと、実用上の問題点が明らかにならない。しかし、電波を放射して実験を行うには、放射した電波が他のシステムに影響を及ぼさないように対策を講じる必要がある。例えば、電磁遮蔽した空間で実験を行ったり、用いられていない周波数の電波を使用して通信を行うことや、離れた場所で送信電力を弱くして干渉が発生しないようにする。また、電波を放射して実験を行うには、対象となる電波を使用する認可が必要である。
【０００３】
無線通信機器が実用される環境で電波を放射して実験を行うには、ほぼ実用化することが見込まれなければ実施できない。ところが、実用化の確証を得るためには、実際の環境で実験を行う必要がある。全く新しい無線通信システムを開発する場合は、これは相反する要求である。
【０００４】
無線通信機器の試験を、空中に電波を放射せずに電気回路を用いて行う方法がある。例えば、特許文献１は、無線通信設備をテストするための無線周波数条件を提供するための装置および方法を提供する。特許文献１は、セルラ網の無線周波数（ＲＦ）条件を再現するための装置および方法であって、現場テストデータから重要なＲＦ挙動を抽出し、マルチチャネル減衰器を用いて可変ＲＦ減衰を再現する技術が記載されている。より詳細には、現場データプロセッサは、現場テストデータを、マルチチャネル減衰器の各チャネルに対する時間的に変動する制御値に変換する。実験室内の、マルチチャネル減衰器に接続された移動機は、現場環境で観測されるのと同一レベルの搬送波信号および干渉信号を経験（模擬）することができ、このため、セルラ通信設備の試験を、現場テストを幾度も反復することなく行なうことが可能になる。
【０００５】
また、特許文献２は、伝搬路の設定条件を任意に変化させ得ると共に干渉雑音量を任意に変化させ得る装置を実現することが記載されている。特許文献２の技術は、無線通信機器からの入力信号を複数の経路に分岐し、それぞれ遅延回路とフェージング発生回路と減衰器を経て合成される。このとき、伝搬データベース及びトラヒックデータベースにより上記伝搬各減衰器の減衰量及び各遅延回路の遅延量を制御するように構成する。また、トラヒックデータベース及び伝搬データベースから干渉雑音電力を演算して減衰量データとして記憶回路に記憶しておき、各減衰器及び遅延回路の制御を行なうごとに減衰量のデータを読み出してガウス雑音発生回路の出力を減衰器で制御し、その出力を合成回路の出力信号と合成して出力するように構成する。
【特許文献１】特開２０００−２２４１１９号公報
【特許文献２】特開平１０−１０７７４５号公報
【発明の開示】
【発明が解決しようとする課題】
【０００６】
しかしながら、特許文献１の技術は現場テストデータを用いるものであり、新しい通信システムの試験を行うことはできない。また、特許文献１及び２は、１対１の通信において無線伝搬路の減衰やフェージングといった特性を模擬するものであって、複数の無線通信機器が送信を行うような通信システムを模擬するものではない。
【０００７】
本発明は、上記事情に鑑みてなされたものであり、無線通信機の実用化実験のために、他のシステムに影響を与えずに、実際の使用環境に近い実験環境を提供することを目的とする。
【課題を解決するための手段】
【０００８】
本発明の第１の観点に係る無線伝搬路模擬回路は、複数の無線通信端末と、前記複数の無線通信端末と通信する中継器とを接続する分配合成回路から構成される無線伝搬路模擬回路であって、
前記複数の無線通信端末のそれぞれに接続し、前記無線通信端末が送信する搬送波の１／４波長の線路長さを有するインピーダンス変換器と、
前記インピーダンス変換器の無線通信端末側端子の間を接続する吸収抵抗と、を備え、
前記吸収抵抗のうち少なくとも一つは、前記無線通信端末同士のアイソレーションをとるために前記無線通信端末の負荷抵抗から算出される抵抗値とは異なる抵抗値を有する、
ことを特徴とする。
【０００９】
本発明の第２の観点に係る無線伝搬路模擬回路は、分配合成回路の分配側端子に、さらに分配合成回路を接続した多段分配合成回路から構成され、複数の無線通信端末と、前記複数の無線通信端末と通信する中継器とを接続する無線伝搬路模擬回路であって、
前記分配側端子にさらに分配合成回路が接続される上段の分配合成回路は、
前記分配側端子に接続する分配合成回路に接続し、前記無線通信端末が送信する搬送波の１／４波長の線路長さを有するインピーダンス変換器と、
前記インピーダンス変換器の前記分配側端子の間を接続する上段の吸収抵抗と、を備え、
前記上段の分配合成回路の分配側端子に接続される下段の分配合成回路は、
前記複数の無線通信端末のそれぞれに接続し、前記無線通信端末が送信する搬送波の１／４波長の線路長さを有するインピーダンス変換器と、
前記インピーダンス変換器の無線通信端末側端子の間を接続する下段の吸収抵抗と、を備え、
前記上段の吸収抵抗は、前記下段の分配合成回路同士のアイソレーションをとるために必要な抵抗値を有し、
前記下段の吸収抵抗のうち少なくとも一つは、前記下段の分配合成回路に接続される無線通信端末同士のアイソレーションをとるために前記無線通信端末の負荷抵抗から算出される抵抗値とは異なる抵抗値を有する、
ことを特徴とする。
【発明の効果】
【００１０】
本発明の無線伝搬路模擬回路によれば、空中線によって電波を放射しなくても、３以上の複数の無線通信機器について、実際の無線通信伝送路を模擬した通信実験を行うことができる。
【発明を実施するための最良の形態】
【００１１】
（実施の形態１）
以下、本発明の一実施の形態に係る無線伝搬路模擬回路を、図面を参照して説明する。
【００１２】
図１は、本発明の実施の形態に係る無線伝搬路模擬回路１の最も小さい構成の一例を示す構成図である。
【００１３】
本実施の形態に係る無線伝搬路模擬回路１は、２台の無線通信端末５ａ、５ｂが端子７ａおよび７ｂにそれぞれ接続されている。また、中継器４が中継器端子６に接続されている。理解を容易にするために、中継器端子６に接続される無線機を中継器４としているが、中継器４は他の無線通信端末５ａ等と同じ構成であってよい。
【００１４】
無線通信端末５ａ、５ｂ及び中継器４は、負荷抵抗を５０Ωとして説明する。無線通信端末５ａ及び５ｂは、それぞれ端子７ａ及び７ｂに接続されている。端子７ａはインピーダンス変換器８ａに接続している。端子７ｂはインピーダンス変換器８ｂに接続している。また端子７ａと７ｂの間は、吸収抵抗９ａ及び９ｂで接続されている。インピーダンス変換器８ａ及び８ｂの他方の端子は、それぞれ中継器４が接続される中継器端子６に接続している。
【００１５】
インピーダンス変換器８ａ及び８ｂは、特性インピーダンスが７０．７Ωで、無線通信端末５ａ及び５ｂが送信する電波の波長の１／４の長さを有する伝送路から構成されている。例えば、インピーダンス変換器８ａ、８ｂは、送信電波の角周波数をωとして、
ω・（ＬＣ）１／２・ｌ＝π／２
を満たす長さｌ、単位長さあたりの分布インダクタンスＬ、分布静電容量Ｃのマイクロストリップ線路で構成される。
【００１６】
端子６からインピーダンス変換器８ａを見たインピーダンスは、１００Ωである。同様に端子６からインピーダンス変換器８ｂを見たインピーダンスは、１００Ωである。したがって、端子６から左の分岐点を見たインピーダンスは、５０Ωである。その結果、端子６の両側のインピーダンスは５０Ωで等しいので、端子６では信号の反射が起こらずに、双方向に通信できる。
【００１７】
図１は、分配合成回路の分岐が２の場合の無線伝搬路模擬回路１である。
分岐数をｎとして一般化した場合は、インピーダンス変換器８ａ等の特性インピーダンスを、（ｎの平方根）×（無線通信端末５ａ等の負荷抵抗）とする。
【００１８】
無線通信端末５ａと５ｂのアイソレーションをとるには、次のようにする。無線通信端末５ａから端子７ａ、インピーダンス変換器８ａ、インピーダンス変換器８ｂを経由して端子７ｂに到達する信号と、端子７ａから吸収抵抗９ａ及び９ｂを経由して端子７ｂに到達する信号がちょうど位相が反転して振幅が等しくなり、打ち消しあうようにする。インピーダンス変換器８ａ、８ｂを経由する信号は半波長（１／４波長×２）だけ位相差が生じる。２つの経路の信号を打ち消しあうようにするためには、吸収抵抗９ａ及び９ｂを無線通信端末５ａ等の負荷抵抗に等しい抵抗値とする。すなわち、図１の回路では、２つの吸収抵抗９ａと９ｂの抵抗値Ｒを５０Ωとすると、２つの経路を経由した信号が打ち消しあって、無線通信端末５ａの信号は端子７ｂには現れない。同様に、無線通信端末５ｂの信号は端子７ａには現れない。このように、分配合成回路でアイソレーションをとる構成は、ウィルキンソン型電力分配合成器として一般に知られている。
【００１９】
図１では、分岐数をｎとして一般化した場合を想定して、吸収抵抗９ａ、９ｂを２つに分割して記載しているが、２分岐の場合は、２つの吸収抵抗９ａ及び９ｂを１つの抵抗とみなしてかまわない。その場合、無線通信端末５ａと５ｂのアイソレーションをとるための吸収抵抗９ａ及び９ｂの値は、直列抵抗として１００Ωである。
【００２０】
ここで、吸収抵抗９ａ及び９ｂの抵抗値を、前記のアイソレーションをとる場合の抵抗値（＝５０Ω）とは異なる抵抗値とすると、２つのインピーダンス変換器８ａ、８ｂを経由する信号と、吸収抵抗９ａ及び９ｂを経由する信号が打ち消し合わないので、無線通信端末５ａの信号は、ある振幅で端子７ｂに現れることになる。
【００２１】
例えば、吸収抵抗９ａ及び９ｂを４７Ωとすると、吸収抵抗９ａ、９ｂを経由する信号の方がインピーダンス変換器８ａ及び８ｂを経由する信号より振幅が大きいので、無線通信端末５ａの信号について位相差が０の信号が端子７ｂに現れる。これは、無線通信端末５ａの信号が直接無線通信端末５ｂにも伝達される場合に相当する。
【００２２】
また、例えば、吸収抵抗９ａ及び９ｂを５１Ωとすると、吸収抵抗を経由する信号の方がインピーダンス変換器８ａ及び８ｂを経由する信号より振幅が小さいので、無線通信端末５ａの信号について位相差がπ（１８０°）の信号が端子７ｂに現れる。これは、無線通信端末５ａの信号が物体に反射して無線通信端末５ｂに伝達される場合に相当する。
なお、これまで無線通信端末５ａから無線通信端末５ｂに信号を伝達する場合に関する説明をしてきたが、無線通信端末５ｂから無線通信端末５ａに信号を伝達することも可能であり、その場合の動作も上記と同様に考えればよい。
【００２３】
吸収抵抗９ａ及び９ｂを、無線通信端末５ａ及び５ｂのアイソレーションをとるための抵抗値とは異なる抵抗値にした場合でも、無線通信端末５ａ及び５ｂの信号は中継器４に伝達され、中継器４の信号は無線通信端末５ａ及び５ｂに伝達される。
【００２４】
以上説明したように、本実施の形態では、分配合成回路において吸収抵抗９ａ、９ｂの抵抗値を、無線通信端末５ａ及び５ｂの間のアイソレーションをとるための抵抗値とは異なる抵抗値とすることにより、無線通信端末５ａと５ｂの間で所定の振幅で信号が伝送されるように構成されている。その結果、２台の無線通信端末５ａ、５ｂと中継器４の間で無線信号が伝達される実際の通信環境を模擬することができる。
【００２５】
図２は、分配合成回路の分岐数が３の場合の無線伝搬路模擬回路１の構成例を示す。図２の無線伝搬路模擬回路１においても、端子７ａ〜７ｃに接続される無線通信端末５ａ〜５ｃの負荷抵抗を５０Ωとしている。分岐数が３なので、インピーダンス変換器８ａ〜８ｃの特性インピーダンスは、３の平方根（＝１．７３２）×負荷抵抗（＝５０Ω）で、８６．６Ωである。インピーダンス変換器８ａ〜８ｃは、無線通信端末５ａ〜５ｃが送信する電波の波長の１／４の長さを有する伝送路から構成されている。
【００２６】
図２に示すように、吸収抵抗９ａ、９ｂ、９ｃは接続点１０に接続されるＹ型配線になっている。図２の無線伝搬路模擬回路１は、図１に示す２分配の場合の無線伝搬路模擬回路１に、１分岐を付け加えた構成になっている。つまり、図１の中継器端子６に、インピーダンス変換器８ｃを接続し、吸収抵抗９ｃを吸収抵抗９ａ及び９ｂの接続点１０に接続した構成である。但し、インピーダンス変換器８ａ〜８ｃの特性インピーダンスは、分岐数に合わせて変更する。この場合も、無線通信端末間のアイソレーションをとるための吸収抵抗９ａ〜９ｃの抵抗値は、それぞれ無線通信端末５ａ〜５ｃの負荷抵抗と同じ５０Ωである。そこで、吸収抵抗９ａ〜９ｃの抵抗値をアイソレーションをとるための抵抗値（＝５０Ω）とは異なる抵抗値とすることにより、無線通信端末５ａ、５ｂ、５ｃ間で信号が伝達される。
【００２７】
図３は、図２の無線伝搬路模擬回路１の無線通信端末５ａ〜５ｃと吸収抵抗９ａ〜９ｃの図面上の配置を変えて記載した回路図である。図３の回路は図２の回路と同じ構成である。分配合成回路の分岐数を増やすには、図３の構成の下に吸収抵抗とインピーダンス変換器の回路を追加すればよい。但し、インピーダンス変換器８ａ等の特性インピーダンスは（分岐数の平方根）×（無線通信端末の負荷抵抗）とする。
【００２８】
図４は、無線伝搬路模擬回路１の分配合成回路の分岐数が３の場合に、吸収抵抗をΔ型配線とした場合の構成例を示す図である。吸収抵抗１１ａ〜１１ｃがΔ型配線の場合は、無線通信端末間のアイソレーションをとるための抵抗値は、それぞれ負荷抵抗の３倍である。すなわち、Ｒ’＝１５０Ωとすると無線通信端末間のアイソレーションをとることができる。そこで、Ｒ’を無線通信端末間のアイソレーションをとる抵抗値である１５０Ωと異なる抵抗値とすると、無線通信端末間で信号が伝達される。
【００２９】
なお、吸収抵抗９ａ〜９ｃ、又は吸収抵抗１１ａ〜１１ｃの抵抗値は、統一する必要はなく、それぞれ異なる抵抗値としてもよい。その場合は、無線通信端末の組み合わせによって、伝達される信号の大きさが異なることになる。
【００３０】
以上説明したように、無線通信端末の数が３の場合でも、図２乃至４に示す回路構成によって、無線伝搬路模擬回路１を構成することができる。さらに分配合成回路の分岐を追加することによって、無線通信端末の数が４以上の場合でも、無線伝搬路模擬回路１を構成することができる。
【００３１】
（実施の形態２）
次に、分配合成回路が多段の場合の本発明に係る無線伝搬路模擬回路１について説明する。図５は、分配合成回路が２段の場合の無線伝搬路模擬回路１の一例を示す構成図である。本実施の形態でも、無線通信端末の負荷抵抗を５０Ωとして説明する。
【００３２】
図５の無線伝搬路模擬回路１は、中継器４が接続される上段の分配合成回路２に、無線通信端末が接続される下段の分配合成回路３ａ、３ｂが接続された構成になっている。上段の分配合成回路２は、２分岐であり、それぞれの分岐に下段の分配合成回路３ａ、３ｂが接続されている。下段の分配合成回路３ａ、３ｂはそれぞれ４分岐である。
【００３３】
上段の分配合成回路２のインピーダンス変換器１３ａ、１３ｂの特性インピーダンスは、２分岐なので７０．７Ωである。下段の分配合成回路３ａ、３ｂのインピーダンス変換器８ａ〜８ｈの特性インピーダンスは、分配合成回路３ａ、３ｂがそれぞれ４分岐なので、４の平方根（＝２）×負荷抵抗（＝５０Ω）で１００Ωである。それぞれのインピーダンス変換器１３ａ、１３ｂ、８ａ〜８ｈは、無線通信端末が送信する電波の波長の１／４の長さを有する伝送路から構成されている。したがって接続点１２ａ又は１２ｂから下段の分配合成回路３ａ又は３ｂをみたインピーダンスは５０Ωであり、接続点１２ａ又は１２ｂからインピーダンス変換器１３ａ又は１３ｂを見たインピーダンスは５０Ωである。また、中継器端子６からみた上段の分配合成回路２のインピーダンスは５０Ωである。その結果、すべての無線通信端末５ａ〜５ｈの信号は中継器４に伝達され、また、中継器４の信号はすべての無線通信端末５ａ〜５ｈに伝達される。
【００３４】
上段の分配合成回路２における吸収抵抗の抵抗値は、下段の分配合成回路３ａ、３ｂ同士のアイソレーションをとるための抵抗値である１００Ω（５０Ω×２）である。そのため、下段の分配合成回路３ａと３ｂの間では信号が伝達されない。
【００３５】
下段の分配合成回路３ａ、３ｂにおける吸収抵抗９ａ〜９ｈの抵抗値は、無線通信端末同士のアイソレーションをとるための抵抗値５０Ωとは異なる抵抗値とする。例えば、下段の分配合成回路３ａの吸収抵抗９ａ〜９ｄはＲ１＝４７Ωとし、分配合成回路３ｂの吸収抵抗９ｅ〜９ｈはＲ２＝５１Ωとする。そのため、下段の分配合成回路３ａ又は３ｂ内では、無線通信端末５ａ〜５ｄ又は５ｅ〜５ｈ同士のアイソレーションはとられず、無線通信端末間で信号が伝達される。
【００３６】
すなわち、無線通信端末５ａ、５ｂ、５ｃ、５ｄの間では信号が伝達されるが、例えば、無線通信端末５ａと無線通信端末５ｅでは信号が伝達されない。
【００３７】
図６は、交差点に通じる、ある角度で交差する２つの道路に、それぞれ無線通信端末が分散して通信する場合の通信状況を模式的に表す図である。図６に示すように、道路Ａにある無線通信端末５ｃの電波は、建物Ｓによって遮られるので、道路Ｂにある無線通信端末５ｅに伝達されない。同様に、道路Ｂにある無線通信端末５ｅの電波は建物によって遮られるので、道路Ａにある無線通信端末５ｃには伝達されない。道路Ａにある無線通信端末５ａ〜５ｃと道路Ｂにある無線通信端末５ｅ〜５ｇから送信された電波は、交差点Ｃに設置された中継器４に到達する。また、中継器４から送信された電波は道路ＡおよびＢにある無線通信端末５ａ〜５ｃと５ｅ〜５ｇに到達する。
【００３８】
図５の無線伝搬路模擬回路１は、例えば、図６のように交差点Ｃに中継器４を設置したとき、その交差点Ｃに通じるある角度をもった２つの道路Ａ、Ｂに、それぞれ無線通信端末が分散して通信する場合を模擬していると考えることができる。
【００３９】
以上説明したように、本実施の形態では、無線伝搬路模擬回路１の分配合成回路を多段構成とすることにより、複数の無線通信端末において、所与の振幅で信号が伝送される無線通信端末と、アイソレーションがとられて無線通信端末間で信号が伝送されない無線通信端末に分けて、実際の通信環境を模擬することができる。
【００４０】
なお、下段の１つの分配合成回路３ａ又は３ｂの中で、吸収抵抗９ａ〜９ｄ又は９ｅ〜９ｈの抵抗値を統一しなくてもよい。その場合は、下段の１つの分配合成回路３ａ又は３ｂの中で、任意の無線通信端末の組み合わせによって、伝達される信号の大きさが異なることになる。
【００４１】
あるいは、下段の吸収抵抗９ａ〜９ｄ又は９ｅ〜９ｈの値をアイソレーションをとるための抵抗値と違う値にしたために、上段から見た下段の分配合成回路３ａ、３ｂのインピーダンスが変わっている場合には、それに合わせて上段のインピーダンス変換器１３ａ、１３ｂの特性インピーダンスや吸収抵抗１４の抵抗値を変えてもよい。
【００４２】
また、上段の分配合成回路２の吸収抵抗１４の抵抗値を、下段の分配合成回路３ａ、３ｂ間のアイソレーションをとる抵抗値と異なる抵抗値として、下段の分配合成回路３ａ、３ｂ間で信号が伝達されるように構成することもできる。例えば、図６に示すような通信環境で、建物Ｔの反射等によって道路Ａ、Ｂ間で信号が伝達されるような場合を想定して、上段の分配合成回路２の吸収抵抗１４の抵抗値を選定することによって、実際の通信環境を模擬した無線伝搬路模擬回路１を構成することができる。
【００４３】
さらに、図５の上段の分配合成回路２の分岐数を増やしたり、分配合成回路の段数を増やして、図６よりも複雑な実際の通信環境を模擬することができる。
【００４４】
その他、前記のハードウエア構成は一例であり、任意に変更及び修正が可能である。例えば、実施の形態２における分配合成回路は、分岐数が１の場合を含むとしてもよい。分配合成回路の分岐数が１の場合は、分配合成回路はインピーダンス変換器としての機能を有する。上段の分配合成回路の分岐数が１の場合は、実施の形態１と同じ回路構成になる。また、いずれかの下段の分配合成回路の分岐数は１以上であればよく、特に上限は無い。また、全ての下段の分配合成回路の分岐数が１の場合は、実施の形態１と同じ回路構成とみなすことができる。
【図面の簡単な説明】
【００４５】
【図１】本発明の実施の形態に係る無線伝搬路模擬回路の最も小さい構成の一例を示す構成図である。
【図２】分配合成回路の分岐数が３の場合の無線伝搬路模擬回路の構成例を示す図である。
【図３】図２の無線伝搬路模擬回路の無線通信端末と吸収抵抗の図面上の配置を変えて記載した図である。
【図４】無線伝搬路模擬回路の分配合成回路の分岐数が３の場合に、吸収抵抗をΔ型配線とした場合の構成例を示す図である。
【図５】分配合成回路が２段の場合の無線伝搬路模擬回路の一例を示す構成図である。
【図６】交差点に通じる、ある角度で交差する２つの道路に、それぞれ無線通信端末が分散して配置する場合の通信状況を模式的に表す図である。
【符号の説明】
【００４６】
１    無線伝搬路模擬回路
２    上段の分配合成回路
３ａ、３ｂ  下段の分配合成回路
４    中継器
５ａ、５ｂ、５ｃ、５ｄ、５ｅ、５ｆ、５ｇ、５ｈ  無線通信端末
６    中継器端子
７ａ、７ｂ、７ｃ、７ｄ、７ｅ、７ｆ、７ｇ、７ｈ  端子
８ａ、８ｂ、８ｃ、８ｄ、８ｅ、８ｆ、８ｇ、８ｈ  インピーダンス変換器
９ａ、９ｂ、９ｃ、９ｄ、９ｅ、９ｆ、９ｇ、９ｈ  吸収抵抗
１０、１０ａ、１０ｂ  接続点
１１ａ、１１ｂ、１１ｃ  吸収抵抗
１２ａ、１２ｂ  接続点
１３ａ、１３ｂ  インピーダンス変換器
１４    吸収抵抗
【図１】
0004439474.tif 000002
【図２】
0004439474.tif 000003
【図３】
0004439474.tif 000004
【図４】
0004439474.tif 000005
【図５】
0004439474.tif 000006
【図６】
0004439474.tif 000007